(57)【要約】【課題】情報受信者が商品紹介または商品情報を簡単に取得できるようにする。【解決手段】情報受信者がサーバーに接続情報を登録することなくリアルタイム通信を開始する。情報提供者は、紙媒体の商品紹介または商品情報を情報読み取り機器で電子データに変換し、ネットワークで送信し共有する。【選択図】図１
2006318431.tif 000002
【特許請求の範囲】
【請求項１】
商品紹介および商品情報などを提供する店舗において、情報提供者が使用する店舗に設置する特定の端末から電気通信網を利用して特定の情報受信者の端末へ送り、商品紹介および商品情報など表示する通信方法において、サーバーで自動発行されたＩＤを店舗に設置する端末に送信し、そのＩＤを電気通信網を用いて情報受信者に伝達し、情報受信者の端末でＩＤを入力することで情報受信者の個人情報を入力することなく情報受信者を特定することできる特徴を持った通信手段。
【請求項２】
請求項１の店舗に設置する特定の端末において、情報提供者が保有する紙媒体の商品紹介および商品情報を画像読み取り機器を用いて商品紹介および商品情報を情報提供者が使用する店舗に設置する特定の端末に作成し、その情報を電気通信網を通じて情報受信者の端末へ送り、商品紹介および商品情報を情報提供者が使用する端末と情報受信者の端末に表示させることが出来る特徴をもった情報提供手段。
【発明の詳細な説明】
【技術分野】
【０００１】  本発明は、電気通信網を介し特定の店舗端末と特定の必要がない情報受信者の端末をリアルタイムに接続する情報通信システムに関し、接続の管理、商品紹介および商品情報の送信、商品情報の補足情報の送信を行うための通信技術および情報提供方法に関するものである。
【背景技術】
【０００２】  従来のテレビ電話などのリアルタイム情報通信システムでは、情報受信者が通信確立を行う場合にシステムを利用する利用者として予めシステムに登録する必要とする。【０００３】  また、情報提供者が保有している紙媒体の情報を共有するには、情報受信者は画像読み取り装置の操作と情報提供者への発信操作との２つの操作が必要である。
【発明の開示】
【発明が解決しようとする課題】
【０００４】  上記のような通信確立手段において情報受信者が利用者としてシステムに登録が必要であるのであれば、次のような問題点を生じる。
（１）情報受信者を事前に登録する必要があるため、手間と時間がかかる。
（２）登録した情報受信者の情報を記録媒体に記録し、管理するため情報の保全を行うことが必要となる。【０００５】  また、情報提供者が保有する紙媒体の情報を情報受信者と共有するためには、上記の２つの操作が必要なため手間がかかる。【０００６】  そこで、本発明の第１の目的は通信を行う利用者が簡単に接続できるようにした接続方法を提供することにある、また、本発明の第２の目的は、そのように接続した利用者に対しリアルタイムに商品紹介や商品情報を提供する情報提供方法を提供することにある。
【課題を解決するための手段】
【０００７】  以上の課題を解決するために、第１の観点では、利用者が事前にシステムに登録が必要とすることなく通信を確立する通信確立手段を特徴とするシステムである。上記第１の観点による通信確立手段では、サーバーにおいて所定の計算式を用いて自動生成したＩＤを情報提供者が使用する店舗に設置する特定の端末に送信し、情報提供者が電気通信網を通じてＩＤを情報受信者伝達する。情報受信者は、伝達されたＩＤを端末に入力し、サーバーに送信することによりサーバーは、情報提供者が使用する端末と情報受信者が使用する端末を特定し接続することで、情報受信者の利用情報を予めシステムに登録することが不要となるので、登録する手間と時間を節減できるようになる。【０００８】  第２の観点では、本発明は、上記構成の通信確立手段において確立した通信において、情報提供者が保有する紙媒体の商品紹介および商品情報などを情報提供者が画像読取装置を用いて情報提供者が使用する端末に作成し、その商品紹介および商品情報などを電気通信網を用いて送信し、情報提供者が使用する端末と情報受信者が使用する端末に表示させることで情報共有を簡易に行うことができる。
【発明の効果】
【０００９】  本発明のリアルタイム通信の通信接続方法によれば、情報受信者の利用情報を予めシステムに登録する必要がなく、簡便に利用できるようになる。また、本発明の情報提供手段によれば事前に紙媒体の資料をデータ化する必要がなく、情報受信者が望む商品紹介や商品情報を短時間で提供できる。さらに、紙媒体をデータ化した商品紹介や商品情報に補足説明をつけることが可能となる。
【発明を実施するための最良の形態】
【００１０】  以下、本発明の実施形態を図を参照して説明する。なお、これにより本発明が限定されるものではない【００１１】  図１は、本発明の一実施形態にかかるリアルタイム情報提供を実施するリアルタイム情報提供システム１を示す構成図である。このリアルタイム情報提供システム１は、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）のようなネットワークＮにそれぞれ接続された情報受信者端末１２（例えばパソコン）と情報読み取り機器２１を接続された情報提供者端末１１とそれらの情報提供端末１１と情報受信端末１２の通信を管理する管理端末１３を具備して構成されている。【００１２】  図２は、情報提供側端末１１、情報読み取り機器２１、情報受信側端末１２および管理端末１３の構成ブロック図である。情報提供側端末１１は、ネットワークＮを介して情報受信側端末１２と通信する通信部１１ａと、商品紹介、商品情報などを表示する表示部１１ｂと、情報提供者が指示やデータを入力する操作部１１ｃと、全体の作動を制御する処理部１１ｄと、情報読み取り機器を制御する制御部１１ｅを具備している。【００１３】  情報受信側端末は、ネットワークＮを介して情報提供側端末１１と通信する通信部１２ａと商品紹介、商品情報などを表示する表示部１２ｂと、情報提供者が指示やデータを入力する操作部１１ｃと、全体の作動を制御する処理部１２ｄを具備している。【００１４】  管理端末１３は、ネットワークＮを介して情報提供側端末１１および情報受信側端末１２と通信しうる通信部１３ａと情報提供側端末１１と情報受信側端末１２を接続するための情報を管理する接続管理部１３ｆを具備している。【００１５】  図３は、管理端末１３で実行される接続開始処理を示すフロー図である。この接続開始処理は、情報提供側端末１１と情報受信側端末１２が通信するための許可を行う処理である。ステップＳ１では、情報提供側端末１１から接続開始要求を受け付けたときに接続受付のＩＤを発行し情報提供側端末１１へ送信する。また、発行したＩＤを保存しておく。【００１６】  ステップＳ２では、情報提供側端末１１の操作者（例えば、商品紹介の担当者）が情報を受けようとする者にＩＤを伝え情報受信側端末１２にＩＤを入力し管理端末１３へ接続要求として送信する。管理端末１３は、情報受信端末１２より接続要求が来ているかを判定する。情報受信端末１２より接続要求が来ていればステップＳ５へ進み、接続要求が来ていなければステップＳ３へ進む。【００１７】  ステップＳ３では、ＩＤの発行した時間から経過した時間が設定した時間を超えていないかを判定する。時間が超えていればステップＳ４へ進み、超えていなければステップＳ２へ進む。ステップＳ４では、保存しているＩＤを削除する。【００１８】  ステップＳ５では、保存しているＩＤとステップ２で受信したＩＤを比較し一致しているかを判定する。一致していればステップＳ６へ進み、一致していなければステップＳ３へ進む。ステップ６では、保存しているＩＤの現在の接続数が予め設定している設定値に達しているかを判定する。設定値に達していればステップＳ７へ進み、達していなければステップＳ８���進む。ステップＳ７では、ステップ４と同じく保存しているＩＤを削除する。ステップＳ８では、情報受信端末１２に接続の指示を送信し、情報受信端末１２は、情報受信端末１１と接続する。【００１９】  図４は、情報提供側端末１１で実行される紙媒体情報送信処理を示すフロー図である。この紙媒体情報送信処理は、紙媒体の商品紹介、商品情報などをデータ化し情報を提供する者（例えば、商品紹介の担当者）と情報を受けようとする者で情報を共有するための処理である。ステップＴ１では、情報を提供する者から情報受信端末１１に接続する情報読み取り機器２１に指示し、紙媒体の情報をデータ化する。【００２０】  ステップＴ２では、ステップＴ１でデータ化したデータを管理端末１３へ送信し保存する。ステップＴ３では、情報提供者側端末１１から情報受信側端末１２へデータを受信するように指示をする。ステップＴ４では、情報受信側端末１２がステップＴ２で保存したデータを取得し表示する。また、情報提供端末１１でも同じくデータを取得し表示する
【図面の簡単な説明】
【００２１】
【図１】本発明の一実施形態にかかるリアルタイム情報提供システムを示す構成図である。
【図２】情報提供側端末、情報受信側端末および管理端末の構成ブロック図である。
【図３】接続開始処理を示すフロー図である。
【図４】紙媒体情報送信処理を示すフロー図である。
【符号の説明】
【００２２】１      リアルタイム情報提供システム
１１    情報提供者端末
１１ａ  通信部
１１ｂ  表示部
１１ｃ  操作部
１１ｄ  処理部
１１ｅ  制御部
１２    情報受信者端末
１２ａ  通信部
１２ｂ  表示部
１２ｃ  操作部
１２ｄ  処理部
１３    管理端末
１３ａ  通信部
１３ｆ  接続管理部
２１    情報読み取り機器
Ｎ      ネットワーク
【図１】
2006318431.tif 000003
【図２】
2006318431.tif 000004
【図３】
2006318431.tif 000005
【図４】
2006318431.tif 000006